Podtech/llm-jp-corpus-v4-ja_patent huggingface dataset:
(57)【要約】【課題】ユリ抽出物を配合した育毛剤を提供する。【解決手段】ユリ抽出物を配合した育毛剤で、ユリ抽出物とは、ユリ科（Ｌｉｌｉａｃｅａｅ）のユリ（Ｌｉｌｉｕｍ  ｃａｎｄｉｄｕｍ）の抽出物を意味する。当該ユリ抽出物は、全草、葉、茎、果実等をそのまま又は粉砕して用いることができるが、根茎を使用するのが好ましい。ユリ抽出物としては、上記ユリを常温又は加温下にて抽出した各種溶媒抽出液、その希釈液、その濃縮液又はその乾燥末が可能である。【選択図】図１
2010143850.tif 000002
【特許請求の範囲】
【請求項１】
ユリ抽出物を配合した育毛剤。
【発明の詳細な説明】
【技術分野】
【０００１】
この発明は、養毛および育毛効果を発揮することができる育毛剤に関するものである。
【背景技術】
【０００２】
男性型脱毛症、円形脱毛症などの脱毛症の多くは、未だその発症の詳細は不明である。従来これらの脱毛症の治療には、経験的に、細胞賦活剤、血行促進剤、血圧降下剤、免疫抑制剤、代謝促進剤、ビタミン剤、抗男性ホルモン剤等の薬剤が外用または経口用として用いられている。
【発明の開示】
【発明が解決しようとする課題】
【０００３】
従来の育毛剤は、症状や体質によっては効果が異なる場合が多く、その効果も未だ満足できるものではない。また、多量に使用すると適応部位に不快な刺激感を与える場合、また、経口用のものは男性機能の意欲が減退する場合があるという問題点があった。
【０００４】
この発明は上記のような課題を解決するためになされたものであり、症状や体質にかかわらず、育毛・養毛を促進し、種々の脱毛症に有効な育毛剤を提供することを目的とする。
【課題を解決するための手段】
【０００５】
この発明は、ユリ抽出物を配合した育毛剤である。
【発明の効果】
【０００６】
この発明の育毛剤は、ユリ抽出物を配合しているので、頭皮等に適用することにより、適用部位において、優れた養毛・育毛作用が発揮される。
【発明を実施するための最良の形態】
【０００７】
実施の形態１．
本発明者は安全性が高い天然物を鋭意研究したところ、ユリ抽出物が優れた毛髪再生作用を有することを見出した。ユリ抽出物は、抗炎症作用、皮膚軟化作用、保湿作用を有し、食用としても供され、肌荒れ、保湿化粧品等に有用である。しかしながら、ユリ抽出物に育毛作用があることはこれまでに知られていない。
【０００８】
本発明におけるユリ抽出物とは、ユリ科（Ｌｉｌｉａｃｅａｅ）のユリ（Ｌｉｌｉｕｍ  ｃａｎｄｉｄｕｍ）の抽出物を意味する。当該ユリ抽出物は、全草、葉、茎、果実等をそのまま又は粉砕して用いることができるが、根茎を使用するのが好ましい。
【０００９】
ユリ抽出物としては、上記ユリを常温又は加温下にて抽出した各種溶媒抽出液、その希釈液、その濃縮液又はその乾燥末が可能である。
【００１０】
本発明のユリ抽出物を得るための抽出溶剤としては、極性溶剤、非極性溶剤のいずれをも使用することができる。また、これらを混合して用いることもできる。例えば、水；メタノール、エタノール等のアルコール類；プロピレングリコール、ブチレングリコール等の多価アルコール類；アセトン、メチルエチルケトン等のケトン類：酢酸メチル、酢酸エチル等のエステル類；テトラヒドロフラン、ジエチルエーテル等の鎖状及び環状エーテル類；ポリエチレングリコール等のポリエーテル類：スクワラン、石油エーテル等の炭化水素類：油脂、ワックス、その他オイル等が考えられる。
【００１１】
ユリ抽出物はそのまま用いることもできるが、当該抽出物を希釈、濃縮若しくは凍結乾燥した後、必要に応じて粉末又はペースト状に調整して用いることが可能である。
【００１２】
本発明のユリ抽出物は、後記例に示すように、すぐれた毛髪再生作用を有することから、養毛・育毛作用及び脱毛予防効果を奏する医薬部外品、医薬品、毛髪化粧料等として使用可能な育毛剤とすることが可能である。
【００１３】
本発明の育毛剤の具体的な形態としては、経口剤、非経口剤の何れでもよい。一般的には、外用剤が好ましく、軟膏、ローション、トニック、スプレー、懸濁液、乳剤等の塗布剤とするのが好ましい。これらの形態とするにあたっては、上記有効成分以外に、蒸留水、各種油剤、界面活性剤、ゲル化剤、防腐剤、酸化防止剤、溶剤、アルコール、キレート剤、増粘剤、色素、香料等の配合が可能である。
【００１４】
本発明の育毛剤はユリ抽出物の他に、通常用いられる、例えば、抗炎症剤、細胞賦活剤、皮脂分泌抑制剤、末梢血管拡張剤、アミノ酸類、ビタミン類等を必要に応じて適宜配合し、育毛効果の向上を図ることが可能である。また、その他医薬品等の成分として一般に使用されている保湿剤、紫外線吸収剤等を任意に組み合わせて配合することが可能である。
【００１５】
本発明の育毛剤におけるユリ抽出物の含有量は、添加形態及び投与形態によっても異なるが、広い範囲から選択が可能である。例えば、溶媒抽出乾燥物換算で、組成中に０．００１質量％〜１０質量％、特に０．０１〜１質量％とするのが好ましい。
【００１６】
製造例：ユリ抽出物の製造方法
ユリの根５０ｇを細かく粉砕する。そして、２５５ｍｌの１・３ブチレングリコールと２５５ｍｌの水とを加え、室温で７日間静置抽出後、ろ過して抽出液５００ｍｌを得た。
【００１７】
育毛剤
実施の形態１の育毛剤としては、上記製造例にて抽出したユリ抽出物を３０％エタノールに溶解し、１０％濃度として構成した。また、コントロール（比較例）には溶媒（３０％エタノール）のみにて構成した。
【００１８】
実験：育毛試験
６週齢のＣ３Ｈ（ＨｅＮＣｒｊ）系雌性マウスを１週間予備飼育した後、電気バリカンを用いて約２×３ｃｍの面積の背部の毛を皮膚が傷つかないように剃毛した。そして、剃毛後、除毛クリームで除毛を行った。そして、剃毛部位に１日３回約ｌｍｌずつを塗布した。この際、実施の形態１の方は対象を５匹、コントロールの方は対象を１０匹として実験を行った。コントロールの方が対象を多くしたのは、通常育毛効果が全くないものであり個体差が大きく作用する。よって、その差を吸収するためである。
【００１９】
そして、塗布開始１４日目及び１７日目の上記背部の写真撮影を行い、画像解析装置を用いて再生毛面積比（再生毛面積／除毛面積）をコントロールと実施の形態１とにて比較した。この結果を図１に示す。図から明らかなように、ユリ抽出物を含有する実施の形態１は、優れた育毛作用があることが証明された。
【図面の簡単な説明】
【００２０】
【図１】この発明の実施の形態１の育毛剤の実験結果を示す図である。
【図１】
2010143850.tif 000003
(57)【要約】【課題】  自転車へ乗車走行中、サドルの回動を防ぎ、ブレーキとサドルの高さ調整を、ブレーキレバーのみで行う事を目的とする。【解決手段】  六角ピストンを用いた非回転用ガススプリングを使用、支柱フレームへ固定し回動を防ぎ、開口部を設けたサドルポストとガススプリングをテーパー式で結合させたことを特徴とし、ブレーキレバー、サドルを固定したガススプリング、ブレーキを二股ケーブルで連結することで、ブレ−キとサドルの昇降を、ブレーキレバーのみでスムーズに行える。【選択図】図１
2010143560.tif 000002
【特許請求の範囲】
【請求項１】
直径が大きくなった自転車の支柱フレームへ、非回転用ロック付きガススプリング（六角ピストン使用）を保持し、ガススプリングのピストン頭部と、サドルを固定したサドルポストの底部をテーパー式で結合させ、六角ピストンを伸縮させることでサドルの高さを変えることを特徴とするサドル昇降装置。
【請求項２】
自転車のブレーキ装置において、従来のブレーキケーブルを二股ケーブルへ変え、二方へ別れたケーブルの一方をブレーキへ、もう一方を請求項１記載の、サドルポストに開口部を設けて六角ピストン頭部の中央にあるロック解除ボタンを揺動可能に接続したことを特徴とするサドル昇降装置。
【発明の詳細な説明】
【技術分野】
【０００１】本発明は、自転車の乗車走行中に、サドルの高さを変える事のできる、サドル昇降装置に関するものである。
【背景技術】
【０００２】一般に、サドルは固定された状態で乗車走行していた、発車停車は低く、走行中は高い方が理想とされ、これを実現するため走行中にサドルの高さを変える事のできる装置が多数提案されている。【０００３】この昇降装置を作るのに適していると思われる円筒状のガススプリング使用の場合、内筒と外筒が円形のため回動し、内筒の頭部に固定されたサドルが一緒に回転してしまうのでこれを回避するため、特許文献１において、回動防止を複雑な機構で提案されている。【０００４】また、特許文献２においては、ブレーキレバーを引いても中ワイヤーを引く構成になっておらず、ブレ−キとサドルの昇降を行う事はできない。【０００５】
【特許文献１】  特開２００３−１０４２５７号公報
【特許文献２】  特開２００７−２３８０６７号公報
【発明の開示】
【発明が解決しようとする課題】
【０００６】上記、特許文献１の構成では、構造が複雑かつ機密で、より多くの部品を必要としコストの面で問題があった。【０００７】そこで本発明は、コストの増大を抑え、乗車中サドルの昇降をブレーキレバーでスムーズに行えることを目的とする。
【問題を解決するための手段】
【０００８】請求項１記載のサドル回転防止機構は、すでに椅子の昇降用ガスシリンダーで六角ピストンを用いて防いでいるガススプリングが開発製品化されており、これを使用することでコストの増大を抑えることができる。
【０００９】また、請求項２記載の発明は、乗車中サドルの昇降とブレーキを、ブレーキレバー、ガススプリング、ブレーキを二股ケーブルで接続することで、ブレーキレバーのみで操作可能になった。
【発明の効果】
【００１０】請求項１の昇降装置へ、請求項２記載の構成で接続するので、緊急停止時に特別な操作をする事なく、ブレーキをかけるだけでサドルが急降下、転倒を防ぎ安全性が向上する。
【発明を実施するための最良の形態】
【００１１】以下、この発明を図面に基づいて説明する。【００１２】このサドル昇降装置は、六角ピストンで回動を防止されているガススプリング２の入る支柱フレーム１を設置し、ガススプリング２を挿入、通常の高さ調整を行い、クランプ３を締め付け固定されている。【００１３】サドル１１のついたサドルポスト７は、底部のインナーテーパー部１４とピストン１０（頭部は円形）の頭部のテーパー部１２を合わせ押圧することで、回動することなく六角ピストン１０としっかり固定される。【００１４】サドルポスト７は図２、図３、図４で示す構造になっており、プレート１５についたシフトレバー受具１７を支軸として、前後にある開口部６を通し、ワイヤー受具１６のついたシフトレバー８が上下する機構である。【００１５】図５で示される二股ケーブル４の配設は、テーブル４ａを従来通りブレーキレバー５へ係止、ケーブル４ｂもリヤブレーキへ係止、残ったケーブル４ｃをケーブル受具１８へ配置プレート１５とシフトレバー８に開いた小径の穴（図面に表示されず）を通してワイヤー９をワイヤー受具１６へ係止する構成であり。【００１６】ブレーキレバー５を引くことで中ワイヤー９が移動、プレート１５とシフトレバー８間のワイヤー９が縮み、シフトレバー８を下げ、ロック解除ボタン１３へ作用する。【００１７】以下、使用法を順次説明する。
（イ）図６の状態で、サドル１１を低くして発進する。
（ロ）加速し腰を浮かし、ブレーキレバー５を半分引く図７の状態（まだブレーキへ作        用していない）で、ロック解除ボタン１３を押しロックを解除、ピストン１０が        上昇しサドル１１を上げる。
（ハ）適正な高さでブレーキレバー５を離し（図６）、ピストン１０をロック、サドル        １１を固定して走行する。
（ニ）停車時、ブレーキレバー５を引く図８の状態は、まずロック解除ボタン１３へ作        用し（図７を経過）体重の重さでサドル１１が下降、続いてリヤブレーキが稼動        し、両足にて着地、停車できる。
【図面の簡単な説明】
【００１８】
【図１】  自転車のサドル昇降装置の正面図と支柱フレームの断面図
【図２】  自転車のサドルポストの平面図
【図３】  自転車のサドルポストの正面図
【図４】  自転車のサドルポストの側面図
【図５】  二股ケーブルの断面図
【図６】  ブレーキレバーとサドルポストの関係を示す正面図
【図７】  同上の半ブレーキ状態の正面図
【図８】  同上の全ブレーキ状態の正面図
【符号の説明】
【００１９】    １    支柱フレーム
２    ガススプリング
３    クランプ
４    ケーブル
５    ブレーキレバー
６    開口部
７    サドルポスト
８    シフトレバー
９    ワイヤー
１０  ピストン
１１  サドル
１２  テーパー部
１３  ロック解除ボタン
１４  テーパー部
１５  プレート
１６  ワイヤー受具
１７  シフトレバー受具
１８  ケーブル受具
【図１】
2010143560.tif 000003
【図２】
2010143560.tif 000004
【図３】
2010143560.tif 000005
【図４】
2010143560.tif 000006
【図５】
2010143560.tif 000007
【図６】
2010143560.tif 000008
【図７】
2010143560.tif 000009
【図８】
2010143560.tif 000010
(57)【要約】  【課題】  使用勝手が良好で、多種多様な発明の開口部の閉塞に利用できる好適な閉塞具を提供する。  【解決手段】  扁平な基部片１と、該基部片１に連設し、先端側に球形突子６を設けた紐体２とで構成する。紐体２の前記球形突子６のない部分を挿通できる径を備えたスリット４と、該スリット４に連通し、しかも、前記球形突子６の径より小径な挿通孔５を前記基部片２の厚さ方向に沿わせて設ける。【選択図】    図１
2010143620.tif 000002
【特許請求の範囲】
【請求項１】
扁平な基部片と、該基部片に連設し、先端側に球形突子を設けた紐体とで成り、紐体の前記球形突子のない部分を挿通できる径を備えたスリットと、該スリットに連通し、しかも、前記球形突子の径より小径な挿通孔を前記基部片の厚さ方向に沿わせてそれぞれ設けた、袋類開口部の合成樹脂製閉塞具。
【発明の詳細な説明】
【技術分野】
【０００１】
本発明は、樹脂製など多種多様な袋の開口部を閉塞する際に用いる、袋類開口部の合成樹脂製閉塞具に関するものである。
【背景技術】
【０００２】
ポリ袋などの、開口部を閉塞する手段を備えていない樹脂袋から内容物が誤って出て行くのを防ぐため当該開口部を輪ゴム、粘着テープ、クリップなどで閉塞している。
【発明の開示】
【発明が解決しようとする課題】
【０００３】
輪ゴムなどによる樹脂袋などの袋類の開口部の閉塞は、安価で手軽であるが、重量が嵩む厚い素材の袋の閉塞には不向きで、概し、ポリ袋などの薄い素材のものに限られ、また、袋の開閉に手間取り、その操作にあたって袋に損傷を与えたりする場合が多々ある。
【０００４】
本発明は、使用勝手が良好で、袋類の口閉塞を簡単に行え、薄手の素材を利用したものや、厚手の素材を利用したなど多種多様な袋物の開口部の閉塞に利用できる好適な閉塞具を提供することを目的として創案したものである。
【課題を解決するための手段】
【０００５】
扁平な基部片と、該基部片に連設し、先端側に球形突子を設けた紐体とで成り、紐体の前記球形突子のない部分を挿通できる径を備えたスリットと、該スリットに連通し、しかも、前記球形突子の径より小径な挿通孔を前記基部片の厚さ方向に沿わせてそれぞれ設けた、構成としたものである。
【発明の効果】
【０００６】
本発明によれば、紐体を袋類開口部側に巻き付けて基部片に設けたスリットに紐体部分をその長手方向に沿わせて移動させて挿通孔に係合させることにより球形突子が基部片に係止され、袋類の開口部を閉塞した状態を確実に保つことができ、しかも、挿通孔縁部から球形突子を取り外すことにより袋類を開放状態に簡単におくことができ、使用勝手の良好な袋類開口部の合成樹脂製閉塞具を提供することができる。
【実施例】
【０００７】
図面は本発明に係る袋類開口部の合成樹脂製閉塞具の一実施例を示し、図１は斜視図、図２は使用状態を示す一部欠截拡大斜視図である。
【０００８】
図中、Ａは本発明に係る、袋類開口部の合成樹脂製閉塞具、１は該閉塞具Ａの基部片で、基部片１は指先で摘める程度の大きさの扁平体で成り、その周側の一端に連設した紐体２とで前記閉塞具Ａを構成する。
【０００９】
扁平体で成る基部片１は、その周側に両側縁が奥行方向に向けて漸次近接する三角状の切欠３を備え、該切欠３の奥端に、前記紐体２の球形突子６のない部分２ａの径より小径なスリット４を設け、該スリット４を介して前記切欠３と、基部片１の中央部に形成した挿通孔５を連通させ、前記紐体２の球形突子６のない部分２ａが切欠３と挿通孔５間を自在に移動できるようにしてある。なお、切欠３は紐体２をスリット４に係合、挿通する際の案内となり、この切欠３の存在により係合、挿通操作を円滑に行うことができる。
【００１０】
紐体２は、前記スリット４を通じて前記挿通孔５位置まで移動できる径を備え、先端側に少なくも、基部片１の板厚の厚さより広い間隔幅をおいて複数個の球形突子６を列設して構成し、球形突子６は、前記紐体２の軸線上に配置した態様の、前記挿通孔５径より大径な球体状と成し、前記スリット４の中間部に設けた前記挿通孔５に部分的に係合してこれに係止するようにしてある。
【００１１】
そして、袋体ｂの縮径した開口部ｂ´に紐体を巻き付けて開口を塞ぐようにして、紐体２に設けた適宜の球形突子６をスリット４に紐体の一部を長手方向に沿わせて係合させるようにして挿通孔５に部分的に係合させて係止させることにより、閉塞具Ａの両端（基部片１と紐体２の先端側）は互いに連結され、袋体の開口部の閉塞状態を維持し、閉塞具として機能するのである。
【００１２】
なお、球形突子６を紐体２に複数個列設したのは、袋体ｂの縮径した開口部ｂ´の紐体２の巻き付け径に対応して袋類開口の閉塞操作を行えるようにしたもので、前記の巻き付け径がほぼ一定である袋類に用いるものであれば、この球形突子６は単一でも不都合はないし、不要な球形突子６部分は紐体２を切断して除いても良い。
【図面の簡単な説明】
【００１３】
【図１】斜視図。
【図２】使用状態を示す一部欠截拡大斜視図。
【符号の説明】
【００１４】
１      基部片
２      紐体
４      スリット
５      挿通孔
６      球形突子
【図１】
2010143620.tif 000003
【図２】
2010143620.tif 000004
(57)【要約】      （修正有）【課題】エコテイッシュペーパーを使い易くするケースがほしい。壁掛け用のテイッシュペーパーケースが出来ないか。ケースの外側回りや上下部分に、小物等を収納する場所がほしい。【解決手段】壁に取り付け用の突起を設け、ケースにその突起に取り付けるフツクや紐状の物、又はケース本体に穴を設け、壁に取り付ける。ケースの外側回りや上下部分に、小物等を収納するポケットや引き出し部を設けた構造で、小物や道具が入り、紛失が無くなり、回りの整理も出来る。【選択図】図５
2010143641.tif 000002
【特許請求の範囲】
【請求項１】
ボックステイッシュやエコテイッシュを取出し口を上にして上部開口部より収納してペーパーを引き上げて取り出すケースの一部に、壁に取り付け用の突起を設け、その突起に取り付け安定させるフックや紐状の物、又はケース本体に穴を設け、壁に取り付けるテイッシュペーパーケース。
【請求項２】
ボックステイッシュやエコテイッシュを取出し口を縦にした状態でケース上部開口部よりケースに縦に収納し、ペーパーを縦の状態で引き出すテイッシュペーパーケース。
【請求項３】
請求項２のケースの一部に、壁に取り付け用の突起を設け、その突起に取り付け安定させるフックや紐状の物、又はケース本体に穴を設け、壁に取り付けるテイッシュペーパーケース。
【請求項４】
ボックステイッシュやエコテイッシュを取出し口を正面横にした状態でケース上部開口部より収納して、ペーパーを横の状態で手前に引き出すテイッシュペーパーケース。
【請求項５】
請求項４のケースの一部に、壁に取り付け用の突起を設け、その突起に取り付け安定させるフックや紐状の物、又はケース本体に穴を設け、壁に取り付けるテイッシュペーパーケース。
【請求項６】
請求項１・２・３・４・５のケースの、ケース外側回りやケース上下部に、実用性の物やアクセサリー性の物を収納出来る場所を設けた、テイッシュペーパーケース。
【請求項７】
請求項１・２・３・４・５のケースの、ケース外側回りやケース上下部に、実用性の物やアクセサリー性の物を収納出来る引き出し部を設けた、テイッシュペーパーケース。
【請求項８】
請求項６・７を併用したテイッシュペーパーケース。
【請求項９】
請求項１・２・３・４・５・６・７・８のケースを、持運びしやすい様に取っ手を設けたテイッシュペーパーケース。
【発明の詳細な説明】
【技術分野】
【０００１】テイッシュペーパーケース
【背景技術】
【０００２】詰め替え用のエコテイッシュペーパーは、ケースが無いと使いにくい。
壁掛け用のテイッシュペーパーがない。又テイッシュペーパーケースもない。
【発明の開示】
【発明が解決しようとする課題】
【０００３】☆エコテイッシュを使い易くするケースがほしい。
☆壁掛け用のテイッシュペーパーケースが出来ないか。
☆ケースの外側や上下部分に、小物等を収納する場所がほしい。
【発明が解決しようとする手段】
【０００４】☆壁に取り付け用の突起を設け、ケースにその突起に取り付けるフックや紐状の物、又はケース本体に穴を設けた構造。
☆ケースの外側や上下部分に、小物等を収納するポケットや引き出し部を設けた構造。
☆ケースを持運びしやすくするため、取っ手を設けた構造。
【０００５】ケースの材質としては、紙・布・木材・植物・プラスナック・合成樹脂・ゴム・ガラス石・タイル・金属・コルク・皮等ほとんどの物が使えます。
【発明の効果】
【０００６】☆壁掛けなので、テーブルや机や台のない所でもテイッシュペーパーが使える
☆取り付け位置を頭の上とか、壁の引っ込んだ入り角等にすると、ほとんど邪魔にならないで、とても使い易いテイッシュケースです。
☆小物や道具が入り、紛失が無くなり、回りの整理も出来て便利です。
【図面の簡単な説明】
【０００７】
【図１】  請求項１  斜面図
【図２】  請求項２  斜面図
【図３】  請求項４  斜面図
【図４】  請求項６  斜面図
【図５】  請求項８  斜面図
【図１】
2010143641.tif 000003
【図２】
2010143641.tif 000004
【図３】
2010143641.tif 000005
【図４】
2010143641.tif 000006
【図５】
2010143641.tif 000007
(57)【要約】【課題】判子台を別の容器と一体にして、便利に使用することができる判子台付き容器を提供する。【解決手段】容器１の表面に、判子２を押したときに弾性変形するようにした判子台３を設けたものとしている。さらに、容器１の表面に凹部５を形成し、この凹部５に判子台３を設けることにより、判子台３とその外側の容器１の表面が面一となるようにしたものとすることができる。また、容器１が本体１ａと蓋体１ｂからなる朱肉容器であり、判子台３が蓋体１ｂの上面に設けられているものとすることもできる。【選択図】図１
2010143608.tif 000002
【特許請求の範囲】
【請求項１】
容器（１）の表面に、判子（２）を押したときに弾性変形するようにした判子台（３）を設けていることを特徴とする判子台付き容器。
【請求項２】
容器（１）の表面に凹部（５）を形成し、この凹部（５）に判子台（３）を設けることにより、判子台（３）とその外側の容器（１）の表面が面一となるようにした請求項１記載の判子台付き容器。
【請求項３】
容器（１）が本体（１ａ）と蓋体（１ｂ）からなる朱肉容器であり、判子台（３）が蓋体（１ｂ）の上面に設けられている請求項１又は２記載の判子台付き容器。
【発明の詳細な説明】
【技術分野】
【０００１】
この発明は、判子を押すときに使用することができる、判子台付き容器に関するものである。
【背景技術】
【０００２】
書面に印鑑を押す際、書面が机等の硬質な物の上に敷かれている場合は、書面にしっかり印影が付くように押印することが難しい。そのため、書面の下にラバー製等の柔軟な材質からなるシート状の判子台を敷いて押印することが多い。
【０００３】
しかし、従来の判子台は、非特許文献１に記載のような朱肉容器とは別体のものであるため、押印の際に判子台と朱肉容器を両方用意しなければならず、保管も面倒であった。
【非特許文献１】シヤチハタ株式会社、“朱肉(エコス)”、［平成２０年１２月１日検索］、インターネット＜ＵＲＬ:http://www.shachihata.co.jp/catalog/lineup/030/002/002/＞
【発明の開示】
【発明が解決しようとする課題】
【０００４】
そこで、この発明は、判子台を別の容器と一体にして、便利に使用することができる判子台付き容器を提供することを課題とする。
【課題を解決するための手段】
【０００５】
前記課題を解決するため、この発明は次のような技術的手段を講じている。
【０００６】
この発明の判子台付き容器は、容器１の表面に、判子２を押したときに弾性変形するようにした判子台３を設けたものとしている。
【０００７】
さらに、容器１の表面に凹部５を形成し、この凹部５に判子台３を設けることにより、判子台３とその外側の容器１の表面が面一となるようにしたものとすることができる。
【０００８】
また、容器１が本体１ａと蓋体１ｂからなる朱肉容器であり、判子台３が蓋体１ｂの上面に設けられているものとすることもできる。
【発明の効果】
【０００９】
この発明の判子台付き容器は、上述のような構成を有しており、判子台３が容器１と一体になっているため、便利に使用することができる。特に、判子２と同時に使用される機会の多い朱肉容器等に判子台３を設けたものとすれば、判子２とともにすぐに使用可能であり、保管も容易である。
【発明を実施するための最良の形態】
【００１０】
以下、この発明の好適な実施形態を、図面を参照して説明する。
【００１１】
図１は、この発明の実施形態の判子台付き容器の斜視図、図２は前記容器１の蓋体１ｂの断面図、図３は使用方法の説明図である。
【００１２】
この判子台付き容器は、容器１の表面に、判子２を押したときに弾性変形するようにした判子台３を設けたものである。容器１は、内側に朱肉を有する本体１ａと、本体１ａの上から被せられるようにした蓋体１ｂからなる円形の朱肉容器であり、判子台３は、蓋体１ｂの上面に設けられたものとしている。
【００１３】
容器１は、判子２を押す力によって壊れたり、判子２の使用に支障が出るほどに変形したりしない程度の強度を有するものであり、硬質プラスチックや木、金属等の硬質部材からなるものとすることができる。
【００１４】
判子台３は、判子２の印面の材質よりも柔軟で弾力性があり、判子２を押したときに、書面４を介してその印面が食い込み、書面４に判子２の印影がしっかりと付くように構成されている。また、判子２を離すとすぐに弾性復帰し、判子２が食い込んだ跡が長期間残らないようになっている。具体的には、ラバーや硬質スポンジ等からなる、厚さ２ｍｍ程度の板状のものとすることができる。
【００１５】
この実施形態では、容器１の蓋体１ｂの表面に凹部５を形成し、この凹部５に判子台３を設けている。前記凹部５は、判子台３が嵌合する大きさ、形状のものであり、深さは判子台３の厚みと同一で、判子台３とその外側の蓋体１ｂの表面が面一となるようにしている。判子台３は、その裏面に塗布した接着剤により、凹部５に固定される。
【００１６】
判子台３の表面は、蓋体１ｂの表面より小さな円形で、押印しやすいように、凹凸や曲面状の部分がない平坦な面としている。なお、この判子台付き容器は、使用時において書面４の下に隠れるため、判子台３が小さいとどこに位置するのか分かりにくくなり、正確に判子台３と判子２の位置を合わせることが難しいので、判子台３はなるべく面積を大きくすることが望ましい。
【００１７】
また、判子台３の表面の色と、その外側の蓋体１ｂの表面の色のコントラストを大きくすることにより、書面４を透過して判子台３の位置が分かりやすくなるようにしてもよい。例えば、判子台３の表面を、白色や書面４を透過しやすい赤色系統の蛍光色とし、その外側の蓋体１ｂの表面を黒色とするとよい。
【００１８】
この判子台付き容器を使用するには、まず机の上に容器１を置き、その上から、図３に示したように、判子台３の上に押印箇所が位置するように書面４を載せた状態にして、判子２を押す。判子２は硬質材料からなる印鑑とすることができる。
【００１９】
このような状態にして押印すれば、確実かつ容易に書面４にしっかりと印影を付すことができる。なお、この判子台付き容器の使用時において、容器１は蓋体１ｂのみを使用し、本体１ａは別の場所にあってもよい。
【００２０】
以上がこの発明の好適な実施形態であるが、この発明は上述の実施形態の構成に限定されるものではなく、素材、形状、寸法等を適宜変更して実施することができる。例えば、容器１は前述のような朱肉容器に限らず、筆箱やスタンプ台として構成することができる。容器１としては、判子２と同時に使用される機会の多いものとすることが望ましい。さらに、判子台３を設ける位置は、容器１の蓋体の上面に限らず、本体の底面等であってもよい。
【図面の簡単な説明】
【００２１】
【図１】この発明の実施形態の判子台付き容器の袋の斜視図である。
【図２】この発明の実施形態の判子台付き容器の蓋体の断面図である。
【図３】この発明の実施形態の判子台付き容器の使用方法の説明図である。
【符号の説明】
【００２２】
１  容器
１ａ  本体
１ｂ  蓋体
２  判子
３  判子台
５  凹部
【図１】
2010143608.tif 000003
【図２】
2010143608.tif 000004
【図３】
2010143608.tif 000005
(57)【要約】【課題】  本発明は容器の中身を刷毛やヘラ等で取り出す時に、過剰に付いた分を通常は容器の端でかき落とすが、中身が固着して蓋が出来なくなったり、周りを汚すので、容器の内側でかき落とす為の中桟を提供するものである。【手段】  容器の中に大きさを合わせた、かき落とし部・バネ部・足部が一体型となった中桟となる変形棒を設ける。【選択図】図１
2010042856.tif 000002
【特許請求の範囲】
【請求項１】
容器の中に入る大きさに合わせた、かき落とし部・バネ部・足部が一体型で出来た中桟となる変形棒。
【発明の詳細な説明】
【技術分野】
【０００１】  本発明は、ペンキ缶の中身を無駄なく取り出す為の器具に関するものである。
【背景技術】
【０００２】  従来、ペンキ等、粘性流動物の中身を容器から取り出す場合は、一般的に刷毛やヘラ等ですくい上げ、過剰に付いた内容物を容器の端でかき落としているのが一般的である。
【発明の開示】
【発明が解決しようとする課題】
【０００３】  中身を容器の端でかき落として取り出す時には、次の様な問題点があった。
取出す毎に内容物が付着すると、時間の経過と共に堆積、固着してくる。過剰になると容器の外側にまで付着し、手や衣服、周囲の環境を汚す原因となる。
又、容器の端に付着した内容物が乾燥固着するものは、蓋が密閉出来なくなり、内容物全体を乾燥固着させ、使用不能としてしまう事になる。
本発明は、以上の問題点を解決し、容器の内容物を最後まで無駄なく、周りを汚さず使用出来る様になされたものである。
【課題を解決するための手段】
【０００４】  容器の中に大きさを合わせた、かき落とし部・バネ部・足部が一体型となった中桟となる変形棒を設ける。
本発明は、中桟を設ける事により、容器の中身を乾燥固着や容器の周囲を汚す事なく最後まで使用出来る、中桟付容器である。
【発明の効果】
【０００５】  本発明の使用により、中身のかき落とし部分が容器でなく独立した内側にある中桟となる為、蓋が密閉でき、容器の外側を汚す事なく、又、中身の乾燥固着を防止出来るものである。
【発明を実施するための最良の形態】
【０００６】  以下、本発明の実施の形態を説明する。
（イ）  中身に侵されず、腐食しない棒状素材から容器に入る大きさに曲げ加工し、かき落とし部・バネ部・足部を設ける。（１）
（ロ）  足部２本を手で挟み縮めて容器入り口より差し入れ、完全に入ったところで手を離すと、バネの力で広がり、容器の内側に足部が密着して安定しセットされる。
本発明は以上の構成よりなる。
本発明を使用する場合は、容器（５）の中身（６）を刷毛、ヘラ等で取出す時、過剰に付着した中身（６）を、中桟（１）のかき落とし部（３）を使ってかき落とす事で容器（５）の端、外周を汚す事なく、蓋（７）が密閉出来るので、長期間、中身の乾燥固着も防止できるものである。
【図面の簡単な説明】
【０００７】
【図１】  本発明の斜視図
【図２】  本発明の容器への装着後の上部図
【図３】  本発明の容器への装着後の正面図
【符号の説明】
【０００８】（１）中桟本体、（２）中桟足部、（３）中桟かき落とし部、（４）中桟バネ部、（５）容器、（６）中身、（７）蓋
【図１】
2010042856.tif 000003
【図２】
2010042856.tif 000004
【図３】
2010042856.tif 000005
(57)【要約】      （修正有）【課題】円柱基台の外周に形成された総型砥石を損傷させることなく総型ホイールを収容して安全に搬送可能な収容ケースを提供する。【解決手段】円柱基台４の外周に総型砥石６を有し、円柱基台の中央部に開口８を有する総型ホイールを収容する収容ケース１０であって、総型ホイールの外周を囲繞する円筒側壁と１４、円筒側壁の下部を閉塞する底壁１６と、底壁の中央部から立設し円柱基台の中央部の開口に嵌合する凸部１８とを有し、上部が開放された箱体１２と、箱体の開放された上部に着脱可能に装着される蓋体２２と、凸部を覆うように底壁に敷設された第１の緩衝シート２０と、蓋体に敷設された第２の緩衝シート２４と、から構成される。【選択図】図１
2010042848.tif 000002
【特許請求の範囲】
【請求項１】
円柱基台の外周に総型砥石を有し、該円柱基台の中央部に開口を有する総型ホイールを収容する収容ケースであって、
該総型ホイールの外周を囲繞する円筒側壁と、該円筒側壁の下部を閉塞する底壁と、該底壁の中央部から立設し該円柱基台の中央部の開口に嵌合する凸部とを有し、上部が開放された箱体と、
該箱体の開放された上部に着脱可能に装着される蓋体と、
前記凸部を覆うように該底壁に敷設された第１の緩衝シートと、
該蓋体に敷設された第２の緩衝シートと、
から構成されることを特徴とする総型ホイールを収容する収容ケース。
【発明の詳細な説明】
【技術分野】
【０００１】
本発明は、メモリーカードの成形に使用する総型ホイールを収容する収容ケースに関する。
【背景技術】
【０００２】
各種電子機器のカードスロットに挿入して使用されるＳＤカード（登録商標）等のメモリーカードは、配線基板に複数のメモリー素子が実装され、モールド樹脂によって被覆されて形成されている。
【０００３】
かかるメモリーカードは、一枚の配線基板にメモリー素子が格子状に実装され、全体がモールド樹脂によって被覆されてパッケージ基板が形成された後に、パッケージ基板のメモリー素子間の領域を切削して分離することにより形成される。
【０００４】
ところで、メモリーカードの形状は規格化されており、メモリーカードがカードスロットに挿入された際にカードスロットの側壁と対面する側部には、挿入の際の表裏及び前後方向の認識を可能とするための異形部が形成されている。異形部が形成されない角部には面取り加工が施されている。
【０００５】
このように、カードスロットへの間違った挿入を回避するために比較的複雑な外形を有しているメモリーカードの外形の加工を容易にするために、本発明出願人は先に総型ホイールを装着したメモリーカード加工装置を開発し、特許出願した（特開２００８−１１２２５３号公報参照）。
【特許文献１】特開２００８−１１２２５３号公報
【発明の開示】
【発明が解決しようとする課題】
【０００６】
しかし、総型ホイールを収容する収容ケースが存在せず、総型ホイールの搬送において総型ホイールの外周に形成された総型砥石を損傷させる恐れがあるという問題がある。
【０００７】
本発明はこのような点に鑑みてなされたものであり、その目的とするところは、総型ホイールを収容して搬送するのに適した総型ホイール収容ケースを提供することである。
【課題を解決するための手段】
【０００８】
本発明によると、円柱基台の外周に総型砥石を有し、該円柱基台の中央部に開口を有する総型ホイールを収容する収容ケースであって、該総型ホイールの外周を囲繞する円筒側壁と、該円筒側壁の下部を閉塞する底壁と、該底壁の中央部から立設し該円柱基台の中央部の開口に嵌合する凸部とを有し、上部が開放された箱体と、該箱体の開放された上部に着脱可能に装着される蓋体と、前記凸部を覆うように該底壁に敷設された第１の緩衝シートと、該蓋体に敷設された第２の緩衝シートと、から構成されることを特徴とする総型ホイールを収容する収容ケースが提供される。
【発明の効果】
【０００９】
本発明によると、収容ケース内に総型ホイールを収容して搬送することにより、円柱基台の外周に形成された総型砥石を損傷させることなく搬送することができる。
【発明を実施するための最良の形態】
【００１０】
以下、本発明の実施形態を図面を参照して詳細に説明する。図１を参照すると、本発明実施形態に係る総型ホイールを収容する収容ケースの分解斜視図が示されている。
【００１１】
総型ホイール（総型ブレード）２は、例えばアルミニウム合金等から形成された円柱基台４の外周に総型砥石６を電着して構成されている。総型砥石６は、例えばダイアモンド砥粒等の超砥粒をニッケルメッキ等で電着固定して構成される。
【００１２】
総型砥石６は例えば特許文献１に開示されたような複雑な外周形状を有しており、メモリーカードの外形を所望の形状に成形するのに適した形状を有している。円柱基台４の中央部には加工装置のスピンドルに装着される円形開口（装着穴）８が形成されている。
【００１３】
総型ホイール２を収容する収容ケース１０は、総型ホイール２の外周を囲繞する円筒側壁１４と、円筒側壁１４の下部を閉塞する底壁１６と、底壁１６の中央部から立設し総型ホイール２の円柱基台４の中央部の円形開口に嵌合する凸部１８とを有し、上部が開放された箱体１２と、箱体１２の開放された上部を着脱可能に閉鎖する蓋体２２とから構成される。
【００１４】
図２に最もよく示されるように、箱体１２の底壁１６には凸部１８を覆うように第１の緩衝シート２０が敷設されており、蓋体２２内には第２の緩衝シート２４が敷設されている。第１及び第２の緩衝シート２０，２４は、例えばゴム、多孔性物質、柔らかな合成樹脂等から形成される。
【００１５】
総型ホイール２を収容ケース１０内に収納するには、総型ホイール２の円形開口８を収容ケース１０の箱体１２の凸部１８に嵌合して箱体１２内に収容し、更に図３に示すように蓋体２２を箱体１２に装着する。
【００１６】
必要に応じて、箱体１２と蓋体２２の接合部の全周又は周方向の複数個所をテープで止めることにより、総型ホイール２を収容ケース１０内に収容して搬送したり保管したりすることができる。
【００１７】
総型ホイール２は第１及び第２の緩衝シート２０，２４で保護されて収容ケース１０内に収容されているため、総型ホイール２の搬送時に総型砥石６が損傷を受けることが防止される。
【図面の簡単な説明】
【００１８】
【図１】本発明実施形態に係る総型ホイールを収容する収容ケースの分解斜視図である。
【図２】収容ケースの縦断面図である。
【図３】蓋体を箱体に装着した状態の収容ケースの斜視図である。
【符号の説明】
【００１９】
２    総型ホイール（総型ブレード）
４    円柱基台
６    総型砥石
８    円形開口（装着穴）
１０    収容ケース
１２    箱体
１４    円筒側壁
１８    凸部
２０    第１の緩衝シート
２２    蓋体
２４    第２の緩衝シート
【図１】
2010042848.tif 000003
【図２】
2010042848.tif 000004
【図３】
2010042848.tif 000005
(57)【要約】【課題】運転者のシフト位置確認行為とシフト位置未確認状態での走行は不安全運転と交通事故の誘発及び燃料消費量の悪化を招いている。【解決手段】自動車運転者がシフトレバー位置を変化させた瞬間をシステムが捕らえレバー位置により定められた音あるいは再生音声を運転者に通知し、目線を移動させることなくレバー位置を認識することが出来る。自動車運転者が乗車中の任意の時刻にレバー位置を知りたい場合にはシフトレバー等に取付けたスイッチ等によりシステムを起動させレバー位置により定められた音あるいは再生音声を運転者に通知し、目線を移動させることなくレバー位置を認識することが出来る。【選択図】なし【特許請求の範囲】
【請求項１】
自動車運転者が変速機を操作するレバー位置を変化させた場合にレバー位置を音あるいは再生音声による通知するシステム
【請求項２】
自動車運転者が乗車中の任意の時刻に変速機を操作するレバー位置を知りたい場合にレバー位置を音あるいは再生音声による通知するシステム
【発明の詳細な説明】
【技術分野】
【０００１】
本発明は自動車等の安全運転と燃料消費率向上支援するためのシフトレバー位置通知に関する。
【背景技術】
【０００２】
従来の自動車のシフトレバー位置の確認は、シフトレバー位置を後退にした場合、車両後退による事故を防止するため、運転者及び車両周辺にいる人に注意喚起を促すブザー等を鳴らす装置を車両室内及び車両後部に施したものがある。なお、後退位置以外はレバー位置表示装置を目視確認する必要がある。
【発明の開示】
【発明が解決しようとする課題】
【０００３】
運転者にとって安全運転を行うために自車を取巻く状況を常に把握しなければならず目視確認は状況把握の重要な要素である。
車両内で目視確認しなければならない装置装備品があることは、運転者はそれらに目線を移動させることになり安全運転の維持の妨げになっている。
曲り角の多い下り坂においては平地より適切なシフト位置を要求されるが、目線を移動させる余裕が無くなる場合があり不適切なシフト位置（ミス・シフト）で危険走行をしている場合がある。
シフトレバー位置は手探りで確認する事が出来るが手探りであるがゆえに確実ではなく燃料消費率の悪いシフト位置で走行し続けている場合がある。
運転者のシフト位置確認行為とシフト位置未確認状態での走行は不安全運転と交通事故の誘発及び燃料消費量の悪化を招いている。
【課題を解決するための手段】
【０００４】
自動車運転者が変速機を操作するレバー位置を変化させた場合にレバー位置を音あるいは再生音声による通知するシステムを装備することにより運転者はレバー位置表示装置に目線を移動させることなく運転者はレバー位置を認識することが出来る。
自動車運転者が乗車中の任意の時刻に変速機を操作するレバー位置を知りたい場合にレバー位置を音あるいは再生音声による通知するシステムを装備することにより運転者はレバー位置表示装置に目線を移動させることなく運転者はレバー位置を認識することが出来る
【発明の効果】
【０００５】
安全運転維持と燃費向上に貢献できる。
【発明を実施するための最良の形態】
【０００６】
運転者が変速機を操作するシフトレバー位置を各シフトレバー位置で決められた音あるいは再生音声で運転者の耳（聴覚）に通知するシステムである。
システムは運転者が通知要求するリクエストスイッチとシフトレバー位置を電気的に認識する。認識した電気信号（情報）をソフトウェア等で論理処理を行い、結果をスピーカから運転者に通知する。リクエストスイッチはシフトレバー等に取付け運転者が手探りで容易に認識できる位置と形状にしておく。
通知するタイミングはシフトレバーが変化した時（チェンジモード）と運転者がシフトレバー等に取付けたスイッチ等により通知を要求した時（リクエストモード）に行う事が考えられる。各モードの組合せは自由でチェンジモードとリクエストモードの混合モードも考えられる。また、何も通知しないモード（オフモード）も考えられる。
通知するシフトレバー位置はシフトレバーが変化する前の位置通知と変化した後の位置通知が考えられ、前後両方の位置通知と後位置のみ通知する方法が考えられる。
(57)【要約】      （修正有）【課題】法令の特例の対象となる安全な取り外し可能な２人乗り補助座席を安価に提供する。【解決手段】自転車のサドル下に連結ブラッケトを取り付けこれに２人乗り補助シートをピンにて連結する。補助シート後部には左右二本の足にキャスターを取り付け、折りたたみ可能とし、不用時の収納を容易にする。キャスターはバネ付きとし、旋回の傾斜に追従し路面の衝撃も緩和する。補助シートは乗降と転落防止のベルト、安全バーなど安全性を考慮する。【選択図】なし【特許請求の範囲】
【請求項１】
既存自転車用、取り外し可能２人乗り補助座席
【請求項２】
自転車連結部、後部第３車輪（複輪）による走行安定装置
【請求項３】
上記の２人乗り補助座席の構造
【発明の詳細な説明】
【技術分野】
【０００１】本発明は、法令の特例の対象となる  取り外し可能な２人乗り補助座席である
【背景技術】
【０００２】平成２０年の法改正にて、自転車の前後に子供を乗せる「３人乗り」について、警察庁は、ふらつかない安全な構造、強度の自転車であることを前提に容認する方向で検討を始めた。これまで認められていたのは、６歳未満の１人を同乗させる２人乗りまでだった。【０００３】所有する自転車に簡単に取り付けられ、安定走行の出来る、２人乗り補助座席が求められている【０００４】現在運転者１名＋２人乗車の専用自転車は普及しておらず  大型の３輪車がある
【発明の開示】
【発明が解決しようとする課題】
【０００５】ハンドルと後部荷台に補助シートを設置して同乗することが、広く普及しているがふらつきなど、走行安定性に問題が多く事故要因となり、法規制の検討となっている
【課題を解決するための手段】
【０００６】自転車荷台部分に取り外し可能な、２人乗り補助座席を設置する【０００７】２人乗り補助シートに補助輪、バネ、リンクなどを組み合わせ  衝撃、左右の傾斜上下動を緩和し、安定走行と乗り心地を向上させる
【発明の効果】
【０００８】既存の自転車に後付けできて、１人乗り、３人乗りの使い分けが出来る
２人乗り補助シートを外せば  通常の自転車となる【０００９】自転車サドル下連結部と後部第３車輪（複輪）で乗車荷重を分散できる
既存の自転車の負担軽減となる【００１０】２人乗り補助シートに補助輪、バネ、リンクなどの組み合わせにより安定走行と乗り心地を阻害する影響が少ない
2010042791.tif 000002
【手続補正書】
【提出日】平成20年10月30日(2008.10.30)
【手続補正２】
【補正対象書類名】明細書
【補正対象項目名】全文
【補正方法】変更
【補正の内容】
【発明の詳細な説明】
【技術分野】
【０００１】  本発明は、法令の特例の対象となる  取り外し可能な２人乗せ補助座席である
【背景技術】
【０００２】平成２０年の法改正にて、自転車の前後に子供を乗せる「３人乗り」について、警察庁は、ふらつかない安全な構造、強度の自転車であることを前提に容認する方向で検討を始めた。これまで認められていたのは、６歳未満の１人を同乗させる２人乗りまでだった。【０００３】所有する自転車に簡単に取り付けられ、安定走行の出来る、２人乗り補助座席が求められている【０００４】現在、運転者１名＋２人乗車の専用自転車は大型の３輪車などがあるが  普及していない
【発明の開示】
【発明が解決しようとする課題】
【０００５】ハンドルと後部荷台に補助座席を設置して同乗することが、広く普及しているがふらつきなど、走行安定性に問題が多く事故要因となり、法規制の検討となっている
【課題を解決するための手段】
【０００６】自転車荷台部分に取り外し可能な、２人乗せ補助座席を設置する【０００７】２人乗せ補助座席に補助輪、バネ、リンクなどを組み合わせ  衝撃、左右の傾斜上下動を緩和し、  安定走行と乗り心地を向上させる
【発明の効果】
【０００８】既存の自転車に後付けできて、大人１人＋子供２名の３人乗りが出来て２人乗せ補助座席を外せば  通常の自転車となる【０００９】自転車サドル下連結部と後部第３車輪（複輪）で乗車荷重を分散できる連結された自転車は走行時の負担軽減となる【００１０】２人乗り補助座席に第３車輪（複輪）、バネ、リンクなどの組み合わせにより安定走行と良好な乗り心地が確保できる
【図面の簡単な説明】
【００１１】
【図１】「２人乗せ補助座席」を通常市販されている自転車に連結した  側面図であり主要部品名も記した
【図２】「２人乗せ補助座席」を後部から見た外観図である
【手続補正３】
【補正対象書類名】図面
【補正対象項目名】全図
【補正方法】変更
【補正の内容】
【図１】
2010042791.tif 000003
【図２】
2010042791.tif 000004
(57)【要約】【課題】  乗用車等は美観を優先するためにミラーの設置位置が制限され、特定の死角部分が確認不可能であった。従って、特定死角部分を確認可能な、美観を損ねないミラーを提供する。【解決手段】  後方確認のためのバックミラーに対面させた、美観を損ねない大きさのミラーを合わせ鏡とし、前方死角部分も後方確認バックミラーに映すことを特徴とする。【選択図】図２
2010042795.tif 000002
【特許請求の範囲】
【請求項１】
車等のバックミラー（１）に、合わせ鏡状態で小鏡（２）を対面させたバックミラー。
【発明の詳細な説明】
【技術分野】
【０００１】  この発明は、車等のバックミラーに関するものである。
【背景技術】
【０００２】  車の場合、従来は、側面前方等の死角部分を確認するには広角面を持つミラーが使われた。
又、乗用車では電波等を利用し  障害物との間隔を警告音で確認するものもあり、カメラでモニターに映し出すものもある。
【発明の開示】
【発明が解決しようとする課題】
【０００３】  これは次のような欠点があった。
（イ）車の美観を重要視する乗用車は、一般的に、前方付近には突起物としてのミラーは設置しない。その為、狭い道路での通行や車庫入れは不便であった。
又、美観を無視して装着した場合でも、ミラーは車幅の制限を受けるので、必然的に視点も車幅より内側になり、その鏡面は広角と成らざるを得ず、その像は著しく湾曲し、見辛いものであった。
（ロ）電波等を利用し間隔を計測するものは、路面情況の把握は無理であるし、カメラによるものはモニターを  そのつど作動させねばならず、高価で故障も多かった。
本発明は、以上のような欠点をなくす為になされたものである。
【課題を解決するための手段】
【０００４】  後方確認のバックミラー（１）の映像の一部に、適度に離して対面させた小鏡（２）の合わせ鏡としての前方映像を映し込ませた。
【発明の効果】
【０００５】  （イ）合わせ鏡とすることで、鏡の反転映像が再度反転し、通常の視覚で映像を確認可能である。
（ロ）視点が車幅の外となるため、鏡面は著しい湾曲面を必要とせず、その像も容易に確認できる。
（ハ）二枚の鏡面それぞれに、特定の位置として印しを付ければ、見通せる二つの印し（Ａ）（Ｂ）の重なった位置が車の先端位置等の特定の場所（Ｃ）となる。すなわち、勘に頼っていた車の先端部等の見えない位置も、印しを通して路面に確認可能である。
（ニ）小鏡（２）の背面にもミラーを設置可能なので広角の後方確認が可能となる。
【発明を実施するための最良の形態】
【０００６】  以下、本発明を実施する為の最良の形態について説明する。
バックミラー面（１）に対面させた小鏡（２）の角度を、前方の死角部分の映像が（１）の鏡面に映り込むよう調整する。
小鏡（２）の位置と大きさは、バックミラー（１）の主たる後方映像を妨げないものとする。
バックミラー（１）は、車の側面から突出しているので風圧を受けるが、合わせ鏡の小鏡（２）は風圧の背面に位置するので薄い形状も可能となる。その為、その設定は固定するばかりでなく、バックミラーの外枠内に遠隔操作で収納する形態も可能であり、車のデザインの多様性に対応可能である。
小鏡（２）の背面もミラーを設置可能である。
本発明は、以上のような構造である。
【図面の簡単な説明】
【０００７】
【図１】  本発明の斜視図である。
【図２】  本発明の効果（ハ）の説明図である。
【符号の説明】
【０００８】１    バックミラー
２    小鏡
３    車体
４    小鏡の映像部
Ａ    バックミラー面上の印し
Ｂ    小鏡面上の印し
Ｃ    先端特定位置
【図１】
2010042795.tif 000003
【図２】
2010042795.tif 000004